(57)【特許請求の範囲】
【請求項１】
袋本体１の一辺であって、この一辺に沿って外側には広い間隔で未シール部分を形成しながら外側ヒートシール５を行って外側エアー抜け通路６を形成し、この外側ヒートシール５部分の内側に前記外側エアー抜け通路６に対向する部分において、米粒が抜け出ない間隔となるようにポイントシール８を行うことにより、内側エアー抜け通路９を形成するように内側ヒートシール７を行って成る米袋において、前記袋本体１の表フィルム１ａと裏フィルム１ｂに対して前記外側ヒートシール５部分と内側ヒートシール７部分とを横断し、かつ前記ポイントシール８間にかかるように、前記表フィルム１ａにおいては、表側に膨出する凸状の大幅押しぐせ１ａ′と、この大幅押しぐせ１ａ′より狭い表側に膨出する凸状の小幅押しぐせ１ａ″を交互に形成すると共に前記裏フィルム１ｂ側においては、裏側に膨出する凹状の大幅押しぐせ１ｂ′と、この大幅押しぐせ１ｂ′より狭い裏側に膨出する凹状の小幅押しぐせ１ｂ″を交互に形成し、かつ前記表フィルム１ａ側と裏フィルム１ｂの押しぐせは、表フィルム１ａ側の大幅押しぐせ１ａ′に対向する位置に裏フィルム１ｂ側の小幅押しぐせ１ｂ″を位置させ、裏フィルム１ｂ側の大幅押しぐせ１ｂ′に対向する位置に表フィルム１ａ側の小幅押しぐせ１ａ″を位置させることにより、小幅押しぐせ１ａ″と１ｂ″内に小幅エアー抜け通路１１、１３を形成し、この小幅エアー抜け通路１１、１３の両サイドに大幅エアー抜け通路１２、１４を形成して成る米袋のエアー抜け装置。
【発明の詳細な説明】
【０００１】
【発明の属する技術分野】
本発明は、米を充填して密封した後に袋内からエアーを抜き出すことができるように形成した（ヒートシールした）所謂無孔タイプの米袋におけるエアー抜け装置に関するものである。
【０００２】
【従来の技術】
精米した米をプラスチックフィルム製の米袋に充填した場合、これをそのままヒートシールして密封してしまうと、袋内に残留したエアーが影響して所謂パンパンに張った状態になることから、袋の一部にエアー抜け孔を形成したものが公知である。しかし、このエアー抜け孔を形成した米袋の場合、このエアー抜け孔から虫や水が侵入したり、あるいは重ね置きした場合に荷重がかかって破れたりすることがある。
【０００３】
そこで、本特許出願人は、このような欠点を改善するために、米袋を製袋する際に、米袋本体の一辺に沿ってヒートシールを外と内の二条に形成し、外側のヒートシールはエアーが抜け易いように広い間隔で未シール部分を形成し、内側のヒートシールは、前記広い未シール部分と対向する位置にポイントシールを行うことにより、エアーは抜けるが米粒が出ないように工夫した所謂無孔タイプの米袋を特願平６−１６４９９３号として提案している。
【０００４】
【発明が解決しようとする課題】
上記無孔タイプの米袋は、強度的にも十分であり、エアーの抜けも良好であるが、本発明は、このエアーの抜けを更に良好にすることが目的である。
【０００５】
【課題を解決するための手段】
上記目的を達成するため、請求項１に記載の発明においては、米袋のエアー抜け装置において、袋本体１の一辺であって、この一辺に沿って外側には広い間隔で未シール部分を形成しながら外側ヒートシール５を行って外側エアー抜け通路６を形成し、この外側ヒートシール５部分の内側に前記外側エアー抜け通路６に対向する部分において、米粒が抜け出ない間隔となるようにポイントシール８を行うことにより、内側エアー抜け通路９を形成するように内側ヒートシール７を行って成る米袋において、前記袋本体１の表フィルム１ａと裏フィルム１ｂに対して前記外側ヒートシール５部分と内側ヒートシール７部分とを横断し、かつ前記ポイントシール８間にかかるように、前記表フィルム１ａにおいては、表側に膨出する凸状の大幅押しぐせ１ａ′と、この大幅押しぐせ１ａ′より狭い表側に膨出する凸状の小幅押しぐせ１ａ″を交互に形成すると共に前記裏フィルム１ｂ側においては、裏側に膨出する凹状の大幅押しぐせ１ｂ′と、この大幅押しぐせ１ｂ′より狭い裏側に膨出する凹状の小幅押しぐせ１ｂ″を交互に形成し、かつ前記表フィルム１ａ側と裏フィルム１ｂの押しぐせは、表フィルム１ａ側の大幅押しぐせ１ａ′に対向する位置に裏フィルム１ｂ側の小幅押しぐせ１ｂ″を位置させ、裏フィルム１ｂ側の大幅押しぐせ１ｂ′に対向する位置に表フィルム１ａ側の小幅押しぐせ１ａ″を位置させることにより、小幅押しぐせ１ａ″と１ｂ″内に小幅エアー抜け通路１１、１３を形成し、この小幅エアー抜け通路１１、１３の両サイドに大幅エアー抜け通路１２、１４を形成して成ることを特徴とするものである。
【００１１】
【作用】
エアー抜け装置は、米袋の製袋時に形成される。米は一部開口した充填口から充填され、その後この充填口が密封される。充填口を密封した後、米袋をそのままにしておくと袋内のエアーは残留したままとなるが、袋を外側から押えると、内部からエアー抜け装置を経由してエアーが外に抜け出る。このとき、米粒は内側ヒートシールの未シール部分がポイントシールにより狭められているため、袋外に出ることはない。
【００１２】
【実施例】
本実施例は請求項１に記載の発明に対応しており、図１〜図３に基づいてエアー抜け装置の具体的な構造を説明し、図４〜図６に基づいてその作用を説明する。先ず、図１は製袋された状態の米袋本体１を示し、この米袋本体１は、両サイドにサイドシール２，２ａを形成し、左辺に沿ってエアー抜け装置４を形成し、右辺に充填口３を形成した外観構造である。
【００１３】
そして、前記エアー抜け装置４は、外側に一定の間隔で外側エアー抜け通路６を形成しながら外側ヒートシール５を行い、この内側には、前記外側エアー抜け通路６に対向する位置において、米粒が抜け出ない範囲の間隔となるようにポイントシール８を行って内側エアー抜け通路９を形成するように内側ヒートシール７を行った構造である。また、この外側ヒートシール５と内側ヒートシール７を横断するように、袋の表フィルム１ａと裏フィルム１ｂにおいて、凸状の大幅押しぐせ１ａ´と凹状の大幅押しぐせ１ｂ′間には、この大幅押しぐせ１ａ′、１ｂ′より小幅の小幅押しぐせ１ａ″、１ｂ″を形成し、表フィルム１ａ側の小幅押しぐせ１ａ″は裏フィルム１ｂ側の大幅押しぐせ１ｂ′に対向して位置させることにより小幅エアー抜け通路１１、１３を形成し、裏フィルム１ｂ側の小幅押しぐせ１ｂ″は表フィルム１ａ側の大幅押しぐせ１ａ′に対向して位置させることにより、大幅エアー抜け通路１２、１４を形成している。なお、この押しぐせ１ａ′と１ｂ′の数は、内側エアー抜け通路９に少なくとも一条かかれば良いが、出来れば二条以上かかるようにするとエアーの抜けも良く、好ましい。
【００１４】
以上に説明した米袋に米１０を密封し、充填口３をヒートシールして密封した状態の外観が図４、６である。この状態で外圧を加えると、内部のエアーは、図５、図６に示すように、内側エアー抜け通路９から外側エアー抜け通路６を経由して外に抜け出る。具体的には、押しぐせ１ａ′、１ａ″、１ｂ′、１ｂ″により形成された大幅、小幅エアー抜け通路１１、１２、１３、１４から図５において矢印に示すようにエアーが抜け出る。この結果、エアーの抜けが良く、時間も大巾に短縮される。
【００１８】
上記実施例は、全て外側ヒートシール５と内側ヒートシール７を行った例であるが、本実施例は、内側ヒートシール７のみを一条で行った場合である。この場合、内側ヒートシール７のシール幅を少し広く設定する。このようにすると、シール部分の強度も高まり、加えて押しぐせ１ａ′、１ｂ′、１ａ″、１ｂ″によりエアー抜け通路も拡大し、優れたエアー抜け効果が得られる。
【００２０】
［参考例１］
本参考例１は、エアー抜け装置４を米袋本体１のサイドシール２、２ａを行う時に、あるいは充填口３のヒートシール時に図１と同じように形成したものである。特に大型の米袋においてエアーの抜けが良くなり、抜け時間も大巾に短縮できる。
【００２１】
［参考例２］
本参考例２は、エアー抜け装置４において、押しぐせ１ａ′、１ｂ′を、外側ヒートシール５と内側ヒートシール７を行った後に形成したものである。この際、押しぐせ１ａ′、１ｂ′の凹凸は、交互になるように形成しても、あるいは凹状だけ、あるいは凸状だけを連続的に形成しても良い。この参考例においては、実施例１に比較してエアーの抜けは少し劣るが、小型の米袋において実用的であり、また、押しぐせをつけない無孔タイプの米袋と比較した場合には格段に優れたエアー抜け効果が得られる。
【００２２】
［参考例３］
本参考例３は、すべて外側ヒートシール５と内側ヒートシール７を行った例であるが、本実施例は、内側ヒートシール７のみを一条で行った場合である。この場合、内側ヒートシール７のシール幅を少し広く設定する。このようにすると、シール部分の強度も高まり、加えて押しぐせ１ａ′、１ｂ′によりエアー抜け通路６，９も拡大し、優れたエアー抜け効果が得られる。
【００２３】
【発明の効果】
本発明は以上のように、無孔タイプの米袋において、エアー抜け装置に押しぐせをつけたことにより、エアー抜け装置において強制的に隙間ができ、これによりエアーの抜けが非常に良くなり、エアー抜き時間の短縮と、エアー抜き圧の軽減が可能となる。
【図面の簡単な説明】
【図１】  本発明に係る米袋の平面図。
【図２】  エアー抜け装置の一部を示す説明図。
【図３】  Ａ−Ａ′線断面図。
【図４】  米を充填して密封した状態の説明図。
【図５】  エアー抜け状態の説明図。
【図６】  Ｂ−Ｂ′線断面図。
【符号の説明】
１  米袋本体
１ａ  表フィルム
１ｂ  裏フィルム
１ａ′、１ｂ′  大幅押しぐせ及び押しぐせ
１ａ″、１ｂ″  小幅押しぐせ
２、２ａ  サイドシール
３  充填口
４  エアー抜け装置
５  外側ヒートシール
６  外側エアー抜け通路
７  内側ヒートシール
８  ポイントシール
９  内側エアー抜け通路
１０  米
１１、１３  小幅エアー抜け通路
１２、１４  大幅エアー抜け通路
【図１】
0004241997.tif 000002
【図２】
0004241997.tif 000003
【図３】
0004241997.tif 000004
【図４】
0004241997.tif 000005
【図５】
0004241997.tif 000006
【図６】
0004241997.tif 000007